(57)【要約】  本開示は、一方の性に特化した使い捨て吸収性物品（１、１’）のアレイであって、前記アレイは、男性によって着用されるように適合された第１の使い捨て吸収性物品（１）であって、前記物品（１）は、その縦方向において、前方部分（３）、後方部分（４）および前記前方部分（３）と前記後方部分（４）との間の股部分（５）を有し、第１の弾性部品（３１）が、前記物品（１）のフィット感および快適さを男性ユーザに提供するように構成される、物品（１）と、女性によって着用されるように適合された第２の使い捨て吸収性物品（１’）であって、前記物品（１’）は、その縦方向において、前方部分（３’）、後方部分（４’）および前記前方部分（３’）と前記後方部分（４’）との間の股部分（５’）を有し、第２の弾性部品（３１’）が、前記物品（１’）のフィット感および快適さを女性ユーザに提供するように構成される、物品（１’）と、を備え、前記第１の弾性部品（３１）および前記第２の弾性部品（３１’）は、少なくとも部分的にそれぞれの物品（１、１’）に沿って延びる複数の弾性要素（３１ａ〜３１ｅ、３１’ａ〜３１’ｇ）を備える、アレイに関する。本発明によれば、前記第１の弾性部品（３１）および前記第２の弾性部品（３１’）は、少なくとも前記弾性要素（３１ａ〜３１ｅ、３１’ａ〜３１’ｇ）の位置付けまたは弾性強度において互いとは異なる。また、本開示は、上述したようなアレイを製造するための方法に関する。
2019536548.tif 000002
【特許請求の範囲】
【請求項１】
一方の性に特化した使い捨て吸収性物品（１、１’）のアレイであって、前記アレイは、
男性によって着用されるように適合された第１の使い捨て吸収性物品（１）であって、前記物品（１）は、その縦方向において、前方部分（３）、後方部分（４）および前記前方部分（３）と前記後方部分（４）との間の股部分（５）を有し、第１の弾性部品（３１）が、前記物品（１）のフィット感および快適さを男性ユーザに提供するように構成される、物品（１）と、
女性によって着用されるように適合された第２の使い捨て吸収性物品（１’）であって、前記物品（１’）は、その縦方向において、前方部分（３’）、後方部分（４’）および前記前方部分（３’）と前記後方部分（４’）との間の股部分（５’）を有し、第２の弾性部品（３１’）が、前記物品（１’）のフィット感および快適さを女性ユーザに提供するように構成される、物品（１’）と、を備え、
前記第１の弾性部品（３１）および前記第２の弾性部品（３１’）は、少なくとも部分的にそれぞれの物品（１、１’）に沿って延びる複数の弾性要素（３１ａ〜３１ｅ、３１’ａ〜３１’ｇ）を備え、
前記第１の弾性部品（３１）および前記第２の弾性部品（３１’）は、少なくとも前記弾性要素（３１ａ〜３１ｅ、３１’ａ〜３１’ｇ）の位置付けおよび弾性強度の選択が互いとは異なることを特徴とする、アレイ。
【請求項２】
前記第１の弾性部品（３１）および前記第２の弾性部品（３１’）は、略平行に前記物品（１、１’）に沿って延び、隣接する弾性糸の間の距離が互いとは異なる複数の弾性要素（３１ａ〜３１ｅ、３１’ａ〜３１’ｇ）として配置される、請求項１に記載のアレイ。
【請求項３】
前記第１の弾性部品（３１）および前記第２の弾性部品（３１’）は、前記異なる弾性強度を提供するように、異なる寸法、材料または弾性力で構成される、請求項１または２に記載のアレイ。
【請求項４】
前記第１の弾性部品（３１）および前記第２の弾性部品（３１’）は、それぞれ少なくとも前記第１の使い捨て吸収性物品（１）の前記後方部分（４）および前記第２の使い捨て吸収性物品（１’）の前記後方部分（４’）の一部分を形成する、請求項１〜３のいずれか１項に記載のアレイ。
【請求項５】
前記弾性要素（３１ａ〜３１ｅ、３１’ａ〜３１’ｇ）は、上方区域と下方区域とに分割され、少なくとも前記弾性要素（３１ａ〜３１ｅ、３１’ａ〜３１’ｇ）の位置付けまたは弾性強度における上述した相違点は、前記下方区域にのみ設けられる、請求項４に記載のアレイ。
【請求項６】
前記第１の使い捨て吸収性物品（１）および前記第２の使い捨て吸収性物品（１’）のそれぞれは、流体透過性のトップシート（３２）、流体不透過性のバックシート（３３）、および前記トップシート（３２）と前記バックシート（３３）との間に取り囲まれた吸収性コア（１７）を備える、請求項１〜５のいずれか１項に記載のアレイ。
【請求項７】
前記第１の使い捨て吸収性物品（１）および前記第２の使い捨て吸収性物品（１’）のそれぞれは、ウエスト縁部（７、８）およびレッグ縁部（９、１０）を定める前方部分（３）および後方部分（４）と、２つの股縁部（２８、２９）を定める股部分（５）と、を有し、第１の弾性部品（２３）が、前記ウエスト縁部（７、８）に沿って延び、第２の弾性部品（２４）が、前記レッグ縁部（９、１０）に沿って延び、第３の弾性部品（２５）および第４の弾性部品（２６）が、前記股縁部（２８、２９）のそれぞれ１つに沿って延び、前記バックシート（３３）または前記トップシート（３２）は、それぞれ対応する弾性部品（２３、２４、２５、２６）の少なくとも一部分を取り囲むように、前記ウエスト縁部（７、８）、前記レッグ縁部（９、１０）および前記股縁部（２８、２９）に沿って折り畳まれる、請求項１〜６のいずれか１項に記載のアレイ。
【請求項８】
前記弾性部品（２３、２４、２５、２６）は、弾性ウエスト部品（２３）、弾性レッグ部品（２４）および弾性吸収性本体部品（２５、２６）、を定める、請求項７に記載のアレイ。
【請求項９】
前記第１の使い捨て吸収性物品（１）および前記第２の使い捨て吸収性物品（１’）は、失禁用物品によって構成される、請求項１〜８のいずれか１項に記載のアレイ。
【請求項１０】
一方の性に特化した使い捨て吸収性物品（１、１’）のアレイを製造するための方法であって、前記方法は、
男性によって着用されるように適合された第１の使い捨て吸収性物品（１）を供給するステップであって、前記物品（１）は、その縦方向において、前方部分（３）、後方部分（４）および前記前方部分（３）と前記後方部分（４）との間の股部分（５）を有し、第１の弾性部品（３１）が、前記物品（１）のフィット感および快適さを男性ユーザに提供するように構成される、ステップと、
女性によって着用されるように適合された第２の使い捨て吸収性物品（１’）を供給するステップであって、前記物品（１’）は、その縦方向において、前方部分（３’）、後方部分（４’）および前記前方部分（３’）と前記後方部分（４’）との間の股部分（５’）を有し、第２の弾性部品（３１’）が、前記物品（１’）のフィット感および快適さを女性ユーザに提供するように構成される、ステップと、
前記第１の弾性部品（３１）および前記第２の弾性部品（３１’）を形成し、少なくとも部分的にそれぞれの物品（１、１’）に沿って延びる、複数の弾性要素（３１ａ〜３１ｅ、３１’ａ〜３１’ｇ）を供給するステップと、を含み、
前記方法は、
少なくとも前記弾性要素（３１ａ〜３１ｅ、３１’ａ〜３１’ｇ）の位置付けまたは弾性強度において互いとは異なる、第１の弾性部品（３１）および第２の弾性部品（３１’）を供給するステップを含むことを特徴とする、方法。
【発明の詳細な説明】
【技術分野】
【０００１】
本発明は、一方の性に特化した使い捨て吸収性物品のアレイであって、前記アレイは、男性によって着用されるように適合された第１の使い捨て吸収性物品であって、前記物品は、その縦方向において、前方部分、後方部分および前記前方部分と前記後方部分との間の股部分を有し、第１の弾性部品が、前記物品のフィット感および快適さを男性ユーザに提供するように構成される、物品と、女性によって着用されるように適合された第２の使い捨て吸収性物品であって、前記物品は、その縦方向において、前方部分、後方部分および前記前方部分と前記後方部分との間の股部分を有し、第２の弾性部品が、前記物品のフィット感および快適さを女性ユーザに提供するように構成される、物品と、を備える、アレイに関する。さらに、前記第１の弾性部品および前記第２の弾性部品は、少なくとも部分的にそれぞれの物品に沿って延びる複数の弾性要素を備える。
【０００２】
本発明は、また一方の性に特化した使い捨て吸収性物品のアレイを製造するための方法であって、前記方法は、男性によって着用されるように適合された第１の使い捨て吸収性物品を供給するステップであって、前記物品は、その縦方向において、前方部分、後方部分および前記前方部分と前記後方部分との間の股部分を有し、第１の弾性部品が、前記物品のフィット感および快適さを男性ユーザに提供するように構成される、ステップと、女性によって着用されるように適合された第２の使い捨て吸収性物品を供給するステップであって、前記物品は、その縦方向において、前方部分、後方部分および前記前方部分と前記後方部分との間の股部分を有し、第２の弾性部品が、前記物品のフィット感および快適さを女性ユーザに提供するように構成される、ステップと、を含み、また前記第１の弾性部品および前記第２の弾性部品を形成し、少なくとも部分的にそれぞれの物品に沿って延びる、複数の弾性要素を供給するステップも含む、方法に関する。
【背景技術】
【０００３】
使い捨て吸収性物品は、例えば失禁用ライナ、幼児用おむつおよび生理用ナプキンの形態で周知されている。このような吸収性物品の一般的な目的は、吸収性物品の使用の間、高いレベルの快適さと乾いた感覚を着用者に提供しながら、様々な種類の身体滲出物を吸収し、分配し、貯めることである。また、このような吸収性物品は、着用者がこのような身体滲出物によって衣類を汚すのを防ぐように構成されている。
【０００４】
失禁用物品の形態の吸収性物品は、着用者を尿漏れから守るために使用される。失禁用物品は、例えば幼児、子供または成人、男性または女性のユーザによる使用に適したパンツ型おむつ、生理用パンツまたは失禁用パンツとして構成することができる。また、失禁用物品は、着用されているときに、物品の中に放出されることを期待された流体を吸収するように適合された吸収能力を考慮して設計されている。失禁用物品は、失禁者が失禁によって生じるいかなる不便さもなく普通の生活を維持できるように、失禁者を支援するために使用される。
【０００５】
パンツ型失禁用物品の成人ユーザに関して、それぞれ男性骨格および女性骨格（骨格）に適合されたこのような物品に対する特別な要求がある。例えば、男性および女性は、異なる骨格（anatomy）および異なる骨格構造（skeletal configuration）を有することが知られている。また、失禁用物品を使用する男性では、尿が物品の前方部分で放出されることが予想される。一方、女性では、尿が物品の下方部分で放出されることが予想される。これとその他の理由によって、このような失禁用物品を男性ユーザおよび女性ユーザに適合させる必要がある。
【０００６】
さらに、それらが通常の下着と似ているように設計された失禁用物品に対する要求がある。実際に、失禁用物品を使用する成人は、「おむつのような」ものであり、かさばった、不快な、魅力に欠けるものとして認識され、例えば、ユーザが失禁用物品の上にタイトな衣類を着用する場合、目立つことがある物品を使用するのに消極的なことがある。これは、かさばらず、従来の下着と似ている見た目と感触を有する失禁用物品を提供する要望があることを意味する。
【０００７】
また、男性と女性の両方にとってスタイリッシュで魅力的なものであり、男性および女性の身体の骨格と身体の輪郭に追従するこのような失禁用物品を提供する要望がある。このようにして、高いレベルの自信、快適さおよび自尊心を着用者に与え、失禁防止（失禁用 protection）を異なる生活様式を有するユーザに提供する、より目立たない物品を提供することができる。
【０００８】
要約すると、最適化された方法でフィット感、快適さおよび機能についてそれぞれ男性ユーザおよび女性ユーザに適合することができる、失禁用物品の詰め合わせまたはアレイが必要である。さらに、詳細には、例えば、男性用物品から女性用物品への製造への移行の間、またその逆の場合も、製造プロセスの時間やコストのかかる調整または変更をする必要がないような方法で、このような物品のアレイを製造するための効率的な製造方法が必要である。
【０００９】
特許文献ＵＳ２００９／２６４８５１は、それぞれ男性骨格および女性骨格に適合された格納フラップ（containment flaps）を有する使い捨て吸収性物品のアレイを開示する。もっと正確に言えば、男性型物品の格納フラップは、例えばフラップ有効長（flap active length）、フラップ張力およびフラップ高さような少なくとも１つの構造的特徴において女性型物品の格納フラップとは異なる。
【００１０】
ＵＳ２００９／２６４８５１に開示された物品のアレイは、概して吸収性物品を男性ユーザおよび女性ユーザに適合させるという上述した課題を解決することを意図されているが、いかなる大幅な中断または時間のかかる変更もなく、男性モデルから女性モデルの製造における移行を実施できる効率的な製造プロセスを依然として可能にしながら、男性ユーザおよび女性ユーザに適合されたこのような物品を提供するように、吸収性物品、詳細には失禁用物品のさらなる改良の必要性が存在する。
【先行技術文献】
【特許文献】
【００１１】
【特許文献１】ＵＳ２００９／２６４８５１
【発明の概要】
【発明が解決しようとする課題】
【００１２】
本発明に伴う目的は、男性ユーザおよび女性ユーザに適合され、男性ユーザおよび女性ユーザの快適さ、フィット感およびデザインについての要求に従い、また効率的な製造プロセスを用いて製造することができる、一方の性に特化した吸収性物品のアレイおよびそれを製造するための方法を提供することである。
【課題を解決するための手段】
【００１３】
本発明に従って、上述した目的は、一方の性に特化した使い捨て吸収性物品のアレイであって、前記アレイは、男性によって着用されるように適合された第１の使い捨て吸収性物品であって、前記物品は、その縦方向において、前方部分、後方部分および前記前方部分と前記後方部分との間の股部分を有し、第１の弾性部品が、前記物品のフィット感および快適さを男性ユーザに提供するように構成される、物品と、女性によって着用されるように適合された第２の使い捨て吸収性物品であって、前記物品は、その縦方向において、前方部分、後方部分および前記前方部分と前記後方部分との間の股部分を有し、第２の弾性部品が、前記物品のフィット感および快適さを女性ユーザに提供するように構成される、物品と、を備え、前記第１の弾性部品および前記第２の弾性部品は、少なくとも部分的にそれぞれの物品に沿って延びる複数の弾性要素を備える、アレイを用いて達成される。さらに、前記第１の弾性部品および前記第２の弾性部品は、少なくとも前記弾性要素の位置付けまたは弾性強度において互いとは異なる。
【００１４】
本発明によるアレイは、それ自体が男性骨格および女性骨格に適合され、また効率的な製造プロセスを用いて製造することができる物品を備えるという事実に起因して特定の利点を提供する。
【００１５】
実施形態によれば、前記第１の弾性部品および前記第２の弾性部品は、略平行に前記物品に沿って延び、隣接する弾性糸の間の距離が互いとは異なる複数の弾性要素として配置されるように、前記アレイが配置される。これは、男性用製品と女性用製品との製造間の移行を弾性糸の間の距離を変更することによって簡単に実施できるように製造プロセスを実施できることを意味する。
【００１６】
実施形態によれば、前記第１の弾性要素および前記第２の弾性要素は、前記異なる弾性強度を提供するように、異なる寸法、材料または弾性力で構成される。これは、男性用製品と女性用製品との製造間の移行を、物品の弾性要素を形成する弾性糸の種類を変更することによって簡単に実施できるように製造プロセスを実施できることを意味する。
【００１７】
実施形態によれば、前記第１の弾性部品および前記第２の弾性部品は、それぞれ少なくとも前記第１の使い捨て吸収性物品の前記後方部分および前記第２の使い捨て吸収性物品の前記後方部分の一部分を形成する。さらに、実施形態によれば、前記弾性糸は、上方区域と下方区域とに分割され、少なくとも前記弾性要素の位置付けまたは弾性強度における上述した相違点は、前記下方区域に設けられる。
【００１８】
さらに、上述した本発明の目的は、一方の性に特化した使い捨て吸収性物品のアレイを製造するための方法であって、前記方法は、男性によって着用されるように適合された第１の使い捨て吸収性物品を供給するステップであって、前記物品は、その縦方向において、前方部分、後方部分および前記前方部分と前記後方部分との間の股部分を有し、第１の弾性部品が、前記物品のフィット感および快適さを男性ユーザに提供するように構成される、ステップと、女性によって着用されるように適合された第２の使い捨て吸収性物品を供給するステップであって、前記物品は、その縦方向において、前方部分、後方部分および前記前方部分と前記後方部分との間の股部分を有し、第２の弾性部品が、前記物品のフィット感および快適さを女性ユーザに提供するように構成される、ステップと、前記第１の弾性部品および前記第２の弾性部品を形成し、少なくとも部分的にそれぞれの物品に沿って延びる、複数の弾性要素を供給するステップと、を含む、方法によって達成される。さらに、前記方法は、少なくとも前記弾性要素の位置付けまたは弾性強度において互いとは異なる、第１の弾性部品および第２の弾性部品を供給するステップを含む。
【００１９】
添付の図面に示す図を参照して、本発明を以下により詳細に説明する。
【図面の簡単な説明】
【００２０】
【図１ａ】本開示による吸収性物品の斜視正面図を示す。
【図１ｂ】吸収性物品の一部分を形成するウエスト縁部の拡大部の斜視図である。
【図２】吸収性物品の上面図を示す。
【図３】本開示による吸収性物品の製造プロセスの概略図を示す。
【図４ａ】本開示による吸収性物品の代替的な実施形態の断面図を示す。
【図４ｂ】本開示による吸収性物品の代替的な実施形態の断面図を示す。
【図４ｃ】本開示による吸収性物品の代替的な実施形態の断面図を示す。
【図４ｄ】本開示による吸収性物品の代替的な実施形態の断面図を示す。
【図４ｅ】本開示による吸収性物品の代替的な実施形態の断面図を示す。
【図４ｆ】本開示による吸収性物品の代替的な実施形態の断面図を示す。
【図５】上記の吸収性物品の股部の断面図を示す。
【図６ａ】男性骨格に適した第１の構成を示す、後面から見た吸収性物品の斜視図である。
【図６ｂ】女性骨格に適した第２の構成を示す、後面から見た吸収性物品の斜視図である。
【発明を実施するための形態】
【００２１】
添付の図面を参照して、本開示の異なる態様を以下により完全に説明する。しかしながら、本明細書に開示する実施形態は、多くの異なる形態で実現することができ、本明細書に記載の態様に限定されると解釈されるべきではない。
【００２２】
図面の図１ａを参照すると、組み立てられ、すぐに使用できる状態で図示された使い捨てパンツ型吸収性物品１の実施形態が示されている。同一の吸収性物品１を、また図２に示すが、吸収性物品１が平らに置かれた状態で、かつその主要な構成要素を示すために上面視で示す。さらに、図１ｂは以下により詳細に説明するように、吸収性物品１の一部分の拡大部の斜視図である。
【００２３】
本開示は、一方の性に特化した使い捨て吸収性物品のアレイに関し、図１ａ、図１ｂおよび図２に示す物品１は、特定の男性モデルまたは女性モデルを説明することを意図されていないが、男性ユーザまたは女性ユーザのいずれかに適している可能性がある物品の一般原理を説明するために使用される。しかしながら、以下により詳細に説明する図６ａおよび図６ｂは、物品のアレイを開示し、男性用物品と女性用物品との間の相違点を示す。
【００２４】
図１ａおよび図２を参照すると、パンツ型吸収性物品１は、例えば幼児、子供または成人、男性ユーザまたは女性ユーザによる使用に適したパンツ型おむつ、生理用パンツまたは失禁用パンツの形態である。図１によるパンツ型吸収性物品１は、前方部分３と、後方部分４と、前方部分３と後方部分４とを接続する股部分５と、物品の縦方向の中心線６（図２参照）と、を有する単一のシャーシ２を備える。吸収性物品１は、縦方向と、横方向と、厚さ方向と、を有する。
【００２５】
前方部分３は、ウエスト縁部７と、一対のレッグ縁部９、１０と、一対の側縁部１１、１２と、を有する。さらに、後方部分４は、ウエスト縁部８と、一対のレッグ縁部１３、１４と、一対の側縁部１５、１６と、を有する。
【００２６】
上述したように、吸収性物品１は、股部分５を備え、股部分５は、それ自体の大部分に位置している吸収性本体１７を備える。吸収性本体１７は、シャーシ２とは別々に製造され、適切な製造ステップでシャーシ２に挿入され、固定されてもよい。このプロセスを以下でより詳細に説明する。
【００２７】
前方部分３の側縁部１１、側縁部１２は、サイドシーム、面ファスナ、接着ファスナ（adhesive fasteners）等のような永久または再閉鎖可能な（re-closable）側方接続部１８、側方接続部１９を用いて、少なくとも部分的にウエスト開口部２０および一対のレッグ開口部２１、２２を定めるために対向する後方部分４の側縁部１５、側縁部１６に取り付けられている。
【００２８】
弾性ウエスト部品２３の形態である第１の弾性要素は、少なくとも部分的に前方部分３および後方部分４の一部分を形成するウエスト縁部７、ウエスト縁部８に沿ってシャーシ２に固定されている。弾性ウエスト部品２３の目的は、吸収性物品１に物品を着用するユーザのウエストの周りの良好なフィット感を与えることである。弾性ウエスト部品２３は、ウエスト縁部７、ウエスト縁部８の比較的近くにウエスト開口部２０を囲んで固定されている。
【００２９】
さらに、弾性レッグ部品２４の形態である第２の弾性要素は、吸収性物品１に物品を着用するユーザのレッグの周りの良好なフィット感を与える目的で、少なくとも部分的に前方部分３のレッグ縁部９、レッグ縁部１０に沿ってシャーシ２に固定されている。弾性レッグ部品２４は、レッグ縁部９、レッグ縁部１０の比較的近くに固定されている。
【００３０】
図２に詳細に示すように、弾性レッグ部品２４は前方部分３において直線を形成し、後方部分４において湾曲構造を有する。
【００３１】
さらに、第１の吸収性本体弾性体２５および第２の吸収性本体弾性体２６は、股部分５に沿って配置されている。第１の吸収性本体弾性体２５は、第１の股縁部２８に沿って配置されている。一方、第２の吸収性本体弾性体２６は、第２の股縁部２９に沿って配置されている。詳細には、第１の吸収性本体弾性体２５および第２の吸収性本体弾性体２６は、縦方向股縁部２８、縦方向股縁部２９の比較的近くに配置されている。同様に、図１および図２に示すように、弾性ウエスト部品２３および弾性レッグ部品２４もまた、それぞれウエスト縁部７、ウエスト縁部８およびレッグ縁部９、レッグ縁部１０の比較的近くに配置されている。
【００３２】
弾性レッグ部品２４および弾性ウエスト部品２３がそれぞれウエスト縁部７、ウエスト縁部８およびレッグ縁部９、レッグ縁部１０に近い位置に固定されている場合、上記の縁部に沿ってフリルが作られないように、非伸縮性の織物材料は、レッグ縁部およびウエスト縁部で利用することができない。レッグ縁部における大量の材料は、ユーザによって不快なものとして認識されかねず、物品が従来の下着と似ていないという印象をユーザに与えかねないので、これは有利である。
【００３３】
レッグ縁部９、レッグ縁部１０の近くに位置付けられる弾性レッグ機構２４を有することは、またユーザのレッグの形状に対応する改善されたフィット感を有する吸収性物品１をもたらすことができる。したがって、よりフリルの少ない袖口のような外観を有する前方部分３および後方部分４の伸縮性のレッグ縁部９、レッグ縁部１０を提供することが好ましく、それによって吸収性物品１に布下着とより似ている外観を与える。
【００３４】
さらに、図１ａおよび図２に示すように，吸収性物品１は、前方弾性部品３０と、後方弾性部品３１と、を備え、それらは、両方とも互いから特定の距離離れて略平行に物品１の周りに取り付けられる、すなわちユーザの腹部および背面の領域に取り付けられる多数の弾性糸を基礎としている。これらの弾性部品３０、３１の目的は、物品１の着用者にとって良好なフィット感および快適さに貢献することである。詳細には、弾性糸の構造は、男性骨格および女性骨格ならびに物品１の男性ユーザおよび女性ユーザに向けた適切なフィット感および快適さの必要性に適合することができる。
【００３５】
この開示は、弾性糸の位置付け、また弾性糸の弾性特性は、それぞれ男性骨格および女性骨格に個別にフィットするように構成された、後方弾性部品３１および前方弾性部品３０の構造を提供するように、個別に適合することができるという原理に基づいている。図６ａおよび図６ｂを参照して、これを以下により詳細に説明する。もっと正確に言えば、弾性糸の位置付けは、糸が、幾何学的感覚でアレイの中の吸収性物品に沿って置かれる方法を参照し、また任意の２つの隣接する弾性糸の間の距離も参照する。さらなる実施形態によれば、使用される弾性糸の数も、それぞれ男性骨格および女性骨格に個別にフィットするように構成された、後方弾性部品３１および前方弾性部品３０の構造を提供するように選択することができる。
【００３６】
さらに上述したように、弾性ウエスト部品２３および弾性レッグ部品２４を織物材料の縁部の近くに固定するプロセス、すなわちこの場合には、それぞれウエスト縁部７、ウエスト縁部８およびレッグ縁部９、レッグ縁部１０の近くに固定するプロセスは、製造ラインの製造上の公差に起因して困難であることを留意されたい。物品の縁部に沿う、すなわちウエスト縁部、レッグ縁部および股縁部に沿う弾性要素の提供は、モダンでよくフィットした失禁用物品のような吸収性物品に貢献する。このような弾性要素には、通常、ウエスト縁部、レッグ縁部および２つの股縁部に沿って配置される多数の弾性糸が設けられている。
【００３７】
パンツ型吸収性物品の製造プロセスは、高速で運転し、このような完全に自動化された製造ラインは、特定の公差を有する必要がある。弾性部品の弾性糸が対応する縁部のあまりにも近くに位置付けられる場合、糸が実際に縁部の外側に置かれて位置付けられかねないというおそれがある。のりは、通常糸に塗布されるので、弾性糸が、誤って物品の実際の縁部の外側に位置付けられる場合、製造中断のおそれがある。
【００３８】
さらに図２および図１ｂを参照すると、弾性ウエスト部品２３、弾性レッグ部品２４および弾性吸収性本体部品２５、弾性吸収性本体部品２６が、当該物品１の折り畳み配置を用いて固定されている実施形態が提供される。この折り畳み配置の原理を図１ｂに示す。図１ｂは、後方部分４の上部の小部分の拡大を示し、もっと正確に言えば、後方部分４のウエスト縁部８に近い吸収性物品１の一部分を示す。
【００３９】
このような従来の方法では、吸収性物品１は、液体透過性のトップシート３２、すなわち物品１のユーザに対向することを意図されるシート、および液体不透過性のバックシート３３、すなわちユーザによって着用される衣服に対向するように置かれたシートを備える。一般に、液体透過性のトップシート３２は、不織布材料を備えるか、または不織布材料からなる。トップシート材料は、さらにトウ繊維、多孔質発泡体、有孔プラスチックフィルムおよび同様の材料から構成することができる。トップシート材料として適した材料は、柔らかく皮膚に対して刺激の少ないものであるべきであり、体液、例えば尿または月経液によって直ちに浸透されるべきであり、低い再湿特性（rewetting properties）を示すべきである。
【００４０】
さらに、液体不透過性のバックシート３３は、例えばポリエチレンフィルムまたはポリプロピレンフィルムのような薄いプラスチックフィルム、液体不浸透性材料で被覆された不織布材料、液体浸透に耐える疎水性不織布材料またはプラスチックフィルムと不織布材料との積層体から構成されることができる。バックシート材料は、依然として液体がバックシート３３の材料を通過するのを防ぎながら、蒸気を吸収性物品から逃がすことを可能にするように通気性を有することができる。
【００４１】
様々な実施形態によれば、バックシート３３を製造するために使用することができる材料には、薄くて可撓性のある流体不透過性のプラスチックフィルム、または流体不透過性の不織布材料、流体不透過性の発泡体および流体不透過性の積層体がある。
【００４２】
さらに、バックシート３３は、単一の層によって形成されており、代替的には、少なくとも１つの層が流体不透過性である多層構造、すなわち積層体によって形成することができる。さらに、バックシート３３は、任意選択的には、いずれかの方向に弾性を有することができる。さらなる実施形態によれば、バックシート３３は、通気性を有することができ、空気および蒸気がバックシートを通過できることを意味する。さらに、バックシート３３は、任意選択的には、不織布のような織物材料の外側の、衣服に対向する表面を有することができる。
【００４３】
吸収性コア１７は、セルロースフラッフパルプの繊維からなる単一の層によって形成することができる。代替的な実施形態によれば、吸収性コア１７は、当技術分野で知られた任意の適切な吸収性または流体吸収材料、例えば発泡体、繊維綿（fiber waddings）および同様の材料で構成することができる。
【００４４】
さらに、吸収性コア１７は、セルロースフラッフパルプと適切な量の超吸収性粒子との混合物から構成することができる。このような超吸収性材料は、吸収性物品の分野で周知であり、ハイドロゲルを形成する際に大量の流体を吸収することが可能な水膨潤性および水不溶性材料によって構成されている。通常の超吸収性材料は、それ自体の重量の少なくとも１０倍の流体を吸収することが可能である。
【００４５】
さらなる実施形態によれば、吸収性コア１７は、吸収性コアの特性を改善するための成分をさらに包含することができる。このような成分のいくつかの例は、当技術分野で知られているように、バインダ繊維、流体分散材料、流体捕捉材料（fluid acquisition 材料）等である。吸収性コア１７は、また均質構造とすることができ、または同一または異なる材料の積層体を有する積層構造とすることができる。吸収層は、均一の厚さを有してもよく、または層の異なる部分で厚さが異なっていてもよい。
【００４６】
トップシート３２およびバックシート３３は、例えば接着、粘着または、熱または超音波による溶接によって、互いに接続することができる。トップシート３２および／またはバックシート３３は、接着、熱接合等のような当技術分野で既知の任意の方法によって吸収性本体にさらに取り付けることができる。
【００４７】
実施形態によれば、前方部分３および後方部分４を形成する部分におけるトップシートおよびバックシートは、股部分５におけるトップシートおよびバックシートとは異なる種類とすることができる。後者の場合、吸収性物品１は股部分５において吸収特性を有さなければならないので、流体透過性のトップシートおよび流体不透過性のバックシート（上述したような）が適切である。しかしながら、前方部分３および後方部分４を形成する部分において、吸収性物品１のこれらの部分は、一般に吸収特性を有する必要がないので、トップシートおよびバックシートの両方は例えば液体不透過性であってもよい。
【００４８】
図１ｂに示す実施形態によれば、バックシート３３は、後方部分４のウエスト縁部８に沿ってトップシート３２を覆って折り畳むことができるように構成されている。このようにして、弾性ウエスト部品２３は、少なくとも部分的にトップシート３２とバックシート３３との間に取り囲まれている。もっと正確に言えば、弾性ウエスト部品２３は、バックシート３３とトップシート３２との間に位置付けられ、バックシート３３は次いでトップシート３２を覆って折り畳まれている。このようにして、吸収性物品１の内側に沿って、すなわち物品のユーザに対向してバックシート３３の縁部３４が定められる。
【００４９】
図１ｂに示す実施形態は、弾性ウエスト部品２３がトップシート３２および折り畳まれたバックシート３３を用いて完全に取り囲まれるように構成されている。しかしながら、その他の実施形態（図４ｅを参照して以下に説明するような）によれば、バックシート３３および弾性ウエスト部品２３は、バックシート３３が、弾性ウエスト部品２３の一部分のみを取り囲む方法で折り畳まれるような寸法および構成とすることができる。
【００５０】
同様の折り畳みプロセスが前方部分３についても実施され、それによってバックシート３３が吸収性物品１の内側に沿って縁部３５（図１ａ参照）を定める折目を形成する。さらに、同様の折り畳みプロセスが股部分５についても実施され、それによって折目が、第１の縁部３６および第２の縁部３７（図１ａ参照）を用いて股部分５における吸収性本体１７に沿って形成される。また、同様の折り畳みプロセスはまた、レッグ縁部９、レッグ縁部１０に沿って弾性レッグ部品２４を取り囲むように実施される。
【００５１】
上述したような折り畳み手順の目的は、弾性要素、すなわち弾性ウエスト部品２３、弾性レッグ部品２４および弾性吸収性本体部品２５、弾性吸収性本体部品２６が吸収性物品１の対応する縁部の非常に近く位置付けられるのを可能にすることである。これは、吸収性物品１が、最適化されたウエスト弾性機能を有し、着用しやすい普段の下着と似ているように、吸収性物品１を製造することができることを意味する。弾性要素を物品のそれぞれの縁部の非常に近くに位置付けることによって、さもなければ縁部に沿って生じることがある非伸縮性の織物材料の量を回避することができる。要約すると、吸収性物品１は、依然として十分な尿漏れ防止を提供しながら、通常の下着に見た目と感触がより似ているものであるだろう。さらに、一方の性に特化した吸収性物品のアレイにおいて、弾性ウエスト部品、弾性レッグ部品および弾性吸収性本体部品は、適切な方法でそれぞれ男性ユーザおよび女性ユーザによって着用されることを意図された物品に適合することができる。
【００５２】
結果的に、バックシート３３またはトップシート３２がそれぞれ対応する弾性要素２３、２４、２５、２６を取り囲むように、ウエスト縁部７、ウエスト縁部８、レッグ縁部９、レッグ縁部１０および股縁部２８、股縁部２９に沿って折り畳まれている。さらに、特定の代替的な実施形態を以下に説明する。
【００５３】
また、最初に述べたように、従来の下着と似ている、すなわち、通常の男性用下着および女性用下着に対応する見た目と感触を有し、かつ男性ユーザおよび女性ユーザに適合された吸収性物品を製造する要求がある。結果的に、例えば男性用物品から女性用物品への製造への移行の間に実質的に製造プロセスのいかなる時間やコストのかかる変更もなく、依然として効率的な製造プロセスを可能にしながら、それぞれ男性ユーザおよび女性ユーザに特化された、一方の性に特化した吸収性物品のアレイまたはセットを提供する要求がある。
【００５４】
上述したように、前方弾性部品３０および後方弾性部品３１を形成する少なくとも弾性糸の位置付けおよび弾性特性は、男性骨格および女性骨格ならびに男性用および女性用吸収性製品に関するその他の要求に適合された物品を提供するために変えることができる。パンツ型吸収性物品１の製造ラインの例示的な実施形態を図３に概略的に図示する。織物材料の第１の連続シート３８は、第１のウェブ部３８ａおよび第２のウェブ部３８ｂを形成するように、長手方向に供給され、また分割される。第１のウェブ部３８ａは、吸収性物品１の前方部分３（図１ａおよび図２参照）のためのバックシートの土台を形成する。一方、第２のウェブ部３８ｂは、後方部分４のためのバックシートの土台を形成する。
【００５５】
弾性材料の複数のストリップは、第１のウェブ部３８ａおよび第２のウェブ部３８ｂに張力をかけた状態で取り付けられる。もっと正確に言えば、弾性材料の第１のストリップ３９および第２のストリップ４０は、弾性ウエスト部品２３の土台を形成し、弾性材料の第３のストリップ４１および第４のストリップ４２は、弾性レッグ部品２４の土台を形成する。また、弾性材料の第５のストリップ４３および第６のストリップ４４は、それぞれ前方弾性部品３０および後方弾性部品３１の土台を形成する。
【００５６】
弾性材料のストリップ３９、４０、４１、４２、４３、４４は、織物材料の連続シート３８ａおよび連続シート３８ｂにのり付けられるか、またはその他の方法で固定することができ、上記のストリップは、図１ａ、図１ｂおよび図２を参照して上述したように吸収性物品１の弾性ウェブ機構を形成することを意図されている。
【００５７】
次に、織物材料のさらなる連続シート４５は、第３のウェブ部４５ａおよび第４のウェブ部４５ｂを形成するために、長手方向に供給され、分割される。第３のウェブ部４５ａは、前方部分３のためのトップシートの土台を形成する。一方、第４のウェブ部４５ｂは、後方部分４のためのトップシートの土台を形成する。
【００５８】
第３のウェブ部４５ａおよび第４のウェブ部４５ｂは、第１のウェブ部３８ａと第３のウェブ部４５ａとの間、また第２のウェブ部３８ｂと第４のウェブ部４５ｂとの間に挟まれる弾性材料のストリップ３９、４０、４１、４２、４３、４４を有する積層された製品を形成するために、それぞれ第１のウェブ部３８ａおよび第２のウェブ部３８ｂに接合される。第２のシートは、超音波接合、溶接、接着、エンボス加工、機械的固定等によって互いに取り付けることができる。上述したウェブ部と弾性ストリップとの取り付けを、連続的なステップで行われるものとしてここでは説明するが、これらのステップは、典型的には単一のステップで行われる。
【００５９】
その吸収性コア１７を有する股部分５（図１ａ参照）を形成するために、織物材料の第３の連続シート４６が供給され、股部分５のためのバックシートの土台を形成する。吸収性コア１７は、次いで第３の連続シート４６の上に置かれる。また、弾性材料の第７のストリップ４７および第８のストリップ４８も織物材料の第３のシート４６の上に置かれる。弾性材料の第７のストリップ４７は、第１の吸収性本体弾性体２５（図１ａおよび図２参照）の土台を形成する。一方、弾性材料の第８のストリップ４８は、第２の吸収性本体弾性体２６の土台を形成する。
【００６０】
次に、織物材料の第４の連続シート４９が供給され、第１のウェブ部３８ａ、第２のウェブ部３８ｂ、第３のウェブ部４５ａおよび第４のウェブ部４５ｂを参照して上述したものと似た方法で適切に第３の連続シート４６に接合される。このプロセスの間、吸収性コア１７だけでなく弾性材料の第７のストリップ４７および第８のストリップ４８も、上記の織物材料の第３の連続シート４６と上記の織物材料の第４の連続シート４９との間に挟まれる。
【００６１】
それぞれ製造プロセスを男性型物品および女性型物品に適合させるために、物品に含まれる適切な弾性材料（すなわち、弾性材料のストリップ３９、４０、４１、４２、４３、４４）を選択することによってそのプロセスを変更することができる。このような寸法、ブランド、弾性特性およびその他のパラメータに照らした弾性材料の選択は、製造プロセスにおいて、効率的な方法で、いかなる中断や時間のかかる変更がほとんどなく実施されなければならない。
【００６２】
折り畳み手順が、股部分５の縁部を折り畳むように、かつ股部分５の上に縁部３６および縁部３７を形成するように、次に実施される。この折り畳み工程を図３の矢印５０および矢印５１を用いて分かりやすく表示する。同様に、前方部分３および後方部分４の折り畳みを図３に矢印５３、矢印５４を用いて分かりやすく表示する。この折り畳み工程は、図１ｂに示すものに対応する。
【００６３】
さらなる製造ステップでは、織物材料の第３のシート４６、織物材料の第４のシート４９および吸収性コア１７を用いて形成されたウェブは、個別のピース５２に切断され、それぞれは、第１のウェブ部３８ａおよび第２のウェブ部３８ｂと第３のウェブ部４５ａおよび第４のウェブ部４５ｂとによって形成されたウェブに続いて取り付けられる上述した股部分５を形成する。この点について、股部分５は、前方部分３および後方部分４に橋渡しをするように、かつ完成した吸収性物品の土台を形成するように所定の距離に置かれる。図３に示すように、股部分５を形成するピース５２は、前方部分および後方部分を形成するウェブに対して横方向に置かれる。
【００６４】
股部分５は、超音波接合、溶接、接着、エンボス加工、機械的固定等のような任意の既知の固定技術を使用してシャーシに取り付けることができる。このようにして、当該物品１のために完成したシャーシが形成される。
【００６５】
次の製造ステップでは、レッグ開口部５５が、完成した吸収性物品のシャーシを形成する積層された織物材料から切り取られる。この切断は、２つの対向するローラを使用する圧延切断（rolling cutting）のような任意の種類の適切な切断装置（図３では図示しない）によって行うことができる。
【００６６】
次に、第２のウェブ部３８ｂおよび第４のウェブ部４５ｂは、第２のウェブ部３８ｂがシャーシのバックシートになるように、かつ第４のウェブ部４５ｂがシャーシのトップシートになるように折り畳まれて最終製品を形成する。この折り畳みを図３の矢印５６を用いて示す。例えば、サイドシームの溶接の後、製品の連続部品は、切断装置（図３では図示しない）を用いて個別の吸収性物品に切断される。
【００６７】
図４ａ〜ｆは、後方部分４を形成する構造の代替的な実施形態の断面図を示す。図４ａは、弾性要素２３が、バックシート３３の内側とトップシート３２の内側との間に挟まれている実施形態を示す。
上述した後方弾性部品３１もまた、図４ａに示す。また、バックシート３３は、弾性要素２３を取り囲むように、および縁部３４を定めるように上記のトップシート３２の外側を覆って折り畳まれている。この手順は、図１ｂおよび図３に示す実施形態に対応する。
【００６８】
さらに、図４ｂは、弾性要素２３が、バックシート３３によって定められた折目の内側に取り囲まれ、覆われている代替的な実施形態を示す。続いて、トップシート３２は、適切に粘着（gluing）によって上記のバックシート３３に取り付けられている。
【００６９】
図４ｃは、弾性要素２３が、バックシート３３の内側とトップシート３２の内側との間に挟まれており、次いでトップシート３２が、弾性要素２３を取り囲むように上記のバックシート３３の外側を覆って折り畳まれているさらなる代替的な実施形態を示す。
【００７０】
図４ｄは、概して図４ａに示す実施形態に対応するさらなる代替的な実施形態を示すが、弾性伸縮性のフィルムから製造される比較的薄いストリップの形態である後方弾性部品３１ａを有する。１つの例として、好適な熱可塑性エラストマをこのような伸縮性のフィルムに使用することができる。
【００７１】
さらに、図４ｅは、概して図４ａに示す実施形態に対応するさらなる代替的な実施形態を示すが、バックシート３３が弾性要素２３を部分的に取り囲むように折り畳まれる構成を示す。結果的に、この実施形態は、図４ａに示す実施形態以外の寸法および配置を有するバックシート３３および弾性要素２３が配置されており、それによって縁部３４は、図４ａの実施形態と比べてウエスト縁部８（図１ｂも参照）により近い。弾性要素２３は、バックシート３３の折り畳まれた部分によって部分的にのみ取り囲まれているが、依然として妥当な失禁防止および十分な快適さとフィット感を提供しながら、物品を通常の下着と似ているように設計することができる。
【００７２】
図４ｄおよび図４ｅに示す実施形態の変形例であるが、図４ｂおよび図４ｃのようにそれぞれトップシートおよびバックシートが折り畳まれているものもまた、本発明の範囲から逸脱しない範囲で可能である。
【００７３】
図４ｆは、弾性要素２３が、バックシート３３によって定められた折目３３ａの内側から特定の距離ｄで位置付けられている実施形態を示す。実施形態によれば、依然として十分な尿漏れ防止を提供しながら、通常の下着と似ている吸収性物品１を提供するために、折目３３ａの内側からの距離ｄは、１０ｍｍより小さく、好ましくは５ｍｍより小さく、最も好ましくは３ｍｍより小さい。
【００７４】
さらに、図５は、股部５を含む実施形態の断面図を示し、詳細には第２の吸収性本体弾性体２６（図１ａおよび図２も参照）を示す。この実施形態によれば、股部分は、トップシート３２およびバックシート３３によって定められた積層体を覆って折り畳まれた、さらなる織物材料５８を備える。このようにして、第２の吸収性本体弾性体２６は取り囲まれている。さらなる実施形態によれば、股部分５は、接着剤５９または別の適切な固定手段を用いてトップシート３２に取り付けられたさらなる織物材料５８の一部分によって取り囲まれた弾性要素５７を備える、いわゆる立体ギャザーを具備することができる。同様の配置は、第１の吸収性本体弾性体２５（図１ａおよび図２参照）についてとることができる。
【００７５】
図６ａおよび図６ｂは、吸収性物品１、吸収性物品１’の後面視についての斜視図であり、図６ａは、本発明による吸収性物品１の実施形態の第１の構成を示し、図６ｂは、吸収性物品１’の実施形態の第２の構成を示す。第１の構成は、男性型吸収性物品１を説明する。一方、第２の構成は、女性型吸収性物品１’を説明する。
【００７６】
図６ａに示すように、物品１には後方弾性部品３１が設けられ、実施形態によれば、後方弾性部品３１は、物品１に沿って互いに所定の距離をおいて取り付けられた複数の弾性糸３１ａ、３１ｂ、３１ｃ等を有する上方区域を備え、また互いに所定の距離をおいて取り付けられたさらなる複数の弾性糸３１ｄ、３１ｅを有する下方区域も備える。弾性糸は、図４を参照して上述したような製造プロセスの間に、後方部分４において略平行に、すなわち、少なくともユーザの背面に対応する物品１の領域の周りに取り付けられる。弾性糸３１ａ〜３１ｅの間の距離および上記の糸３１ａ〜３１ｅの延長は、男性ユーザに適するように、すなわち、男性骨格および男性ユーザに対するスタイル、裁断、快適さおよびフィット感に関する要求に適しているように選択される。また、弾性糸３１ａ〜３１ｅの弾性特性、詳細には寸法、弾性力および材料の選択についての弾性特性は、物品１の男性ユーザに適するように対応する方法で選択される。
【００７７】
ここで、女性ユーザに適した物品１’である図６ｂを参照すると、物品１’は、図６ａに示す物品１と似ているデザインを有するように見える。すなわち、図６ａに示す上方区域と同様に位置付けられた複数の弾性糸３１’ａ、３１’ｂ、３１’ｃ等を有する上方区域を備える後方弾性部品３１’を含む。しかしながら、後方弾性部品３１’は、図６ａに示す下方区域とは異なる下方区域を備える。もっと正確に言えば、図６ｂにおける後方弾性部品３１’の下方区域は、図６ａに示す下方区域よりも多い数の弾性糸３１’ｄ、３１’ｅ、３１’ｆ、３１’ｇを有する。また、図６ｂにおける糸３１’ｄ、３１’ｅ、３１’ｆ、３１’ｇは、図６ｂによる物品１’を女性骨格に適合させるために、また女性ユーザに対するスタイル、裁断、快適さおよびフィット感に関する要求にも適合させるために、図６ａにおける糸とは異なる種類とすることができる。
【００７８】
また、図６ｂでは見ることはできないが、図６ｂにおける下方区域の弾性糸３１’ｄ、３１’ｅ、３１’ｆ、３１’ｇは、また弾性特性、すなわち、寸法、弾性力および材料の選択についての弾性特性を有することができ、その弾性特性は、女性ユーザに適しており、その特性は、結果的に図６ａに示す対応する弾性糸３１ｄ、弾性糸３１ｅの弾性特性とは異なる。
【００７９】
結果的に、一方の性に特化した吸収性物品のアレイは、図６ａおよび図６ｂに示す上述した物品１、物品１’を用いて実現される。詳細には、図６ｂにおける下方区域は、女性ユーザにより適した図６ｂにおける物品１’を形成するように、弾性糸３１’ｄ、３１’ｅ、３１’ｆ、３１’ｇを用いて、図６ａにおける対応する下方区域と比べてよりきつく引き寄せられている。
【００８０】
男性用吸収性物品１および女性用吸収性物品１’は、例えば以下の様々な特徴について異なっていてもよい。
−  後方弾性部品３１、後方弾性部品３１’で使用される弾性糸の数、
−  弾性糸３１、弾性糸３１’の弾性特性、
−  糸の位置付けおよび隣接する糸の間の距離。
【００８１】
例えば、図６ａにおける吸収性物品１は、２本の弾性糸を有する下方区域を有することができる。一方、図６ｂに示す吸収性物品１’における対応する下方区域は、４本の弾性糸を有することができる。
【００８２】
異なる特徴は、男性用吸収性製品および女性用吸収性製品の要求を満たすために組み合わせることができる。
【００８３】
さらに、実施形態によれば、男性用物品１（図６ａ参照）は、およそ５４０ｄｔｅｘの多数の弾性糸を備えることができる。一方、女性用物品１’（図６ｂ参照）は、およそ８００ｄｔｅｘの多数の弾性糸を備えることができる。ｄｔｅｘは、対応する弾性糸の連続フィラメントまたは連続糸の線密度の単位を示す。これは、女性用物品１’の下方区域が、図６ｂにおける矢印を用いて示されるように、物品１’の下方区域を引き寄せて女性着用者にフィットさせるために高い弾性力を提供するように構成されることを意味する。
【００８４】
さらに、図６ａおよび図６ｂには示されていないが、男性用物品１および女性用物品１’の上方区域は、また異なる弾性特性を有する、すなわち下方区域と同様に有することができることに留意されたい。
【００８５】
図６ａおよび図６ｂは、男性ユーザおよび女性ユーザのための物品１、物品１’がそれぞれ、裁断およびデザインにおいてわずかに異なることを示す。上述した男性ユーザおよび女性ユーザに対する適合はそれぞれ、上述したような効率的な製造プロセスの目標から逸脱することなく行われることに留意されたい。
【００８６】
実施形態によれば、男性用製品および女性用製品の製造間の移行が実施されなければならない製造プロセスは、男性用物品に適した弾性糸を女性用物品に適したその他の弾性糸（その他の寸法または弾性特性を有する）に切り替えるだけで行うことができる。代替的には、糸の間の距離をこのような工程の間に変更することができる。これは、また物品のレッグ開口部が、男性用物品および女性用物品の両方について、同様の方法かつ同一の装置を用いて切断できることを意味する。
【００８７】
本発明は、実施形態に限定されず、添付の特許請求の範囲内で変更することができる。例えば、本発明の原理は、任意の種類の衛生吸収性物品に等しく適用可能である。このような物品には、様々な種類の失禁用ライナおよびパッド、ならびに生理用ナプキン、生理用パッド、パンティライナまたはサポートパンティ（supporting panty）の内側に着用されるか保持する同様の製品がある。このような物品には、またテープファスナを有する幼児用おむつ、パンツ型おむつ、トレーニングパンツ、ベルト付きおむつまたは同様の使い捨て吸収性衣服がある。
【００８８】
特許請求の範囲に記載されている参照符号は、特許請求の範囲によって保護されている事項の範囲を限定するものと見なすべきではなく、それらの唯一の機能は、特許請求の範囲を理解しやすくすることである。
【００８９】
理解されるように、本開示は、添付の特許請求の範囲から逸脱することなく、様々な明白な点において変更が可能である。したがって、図面およびその説明は、本質的に例示的なものとみなされるべきであり、限定的なものとみなされるべきではない。本吸収性物品およびその構成要素ならびに方法は、開示された特定の形態に限定されることを意図していないことを理解されたい。むしろ、それらは特許請求の範囲内に含まれるすべての変更、均等物、および代替物を含むことを意図している。それらはさらに、開示された実施形態からの特徴およびそれらの変形を組み合わせることによって形成できる実施形態を含むことを意図している。
【符号の説明】
【００９０】
１  第１の吸収性物品／男性用吸収性物品
１’  第２の吸収性物品／女性用吸収性物品
２  シャーシ
３  前方部分
３’  前方部分
４  後方部分
４’  後方部分
５  股部分
５’  股部分
６  中心線
７  ウエスト縁部
８  ウエスト縁部
９  レッグ縁部
１０  レッグ縁部
１１  側縁部
１２  側縁部
１３  レッグ縁部
１４  レッグ縁部
１５  側縁部
１６  側縁部
１７  吸収性コア
１８  側方接続部
１９  側方接続部
２０  ウエスト開口部
２１  レッグ開口部
２２  レッグ開口部
２３  第１の弾性部品／弾性ウエスト部品
２４  第２の弾性部品／弾性レッグ部品
２５  第３の弾性部品／弾性吸収性本体部品／第１の吸収性本体弾性体
２６  第４の弾性部品／弾性吸収性本体部品／第２の吸収性本体弾性体
２８  縦方向股縁部／第１の股縁部
２９  縦方向股縁部／第２の股縁部
３０  前方弾性部品
３１  第１の弾性部品／後方弾性部品
３１’  第２の弾性部品／後方弾性部品
３１’ａ  弾性要素
３１’ｂ  弾性要素
３１’ｃ  弾性要素
３１’ｄ  弾性要素
３１’ｅ  弾性要素
３１’ｆ  弾性要素
３１’ｇ  弾性要素
３１ａ  弾性要素
３１ｂ  弾性要素
３１ｃ  弾性要素
３１ｄ  弾性要素
３１ｅ  弾性要素
３２  トップシート
３３  バックシート
３３ａ  折目
３４  縁部
３５  縁部
３６  第１の縁部
３７  第２の縁部
３８  第１の連続シート
３８ａ  第１のウェブ部
３８ｂ  第２のウェブ部
３９  第１のストリップ
４０  第２のストリップ
４１  第３のストリップ
４２  第４のストリップ
４３  第５のストリップ
４４  第６のストリップ
４５  さらなる連続シート
４５ａ  第３のウェブ部
４５ｂ  第４のウェブ部
４６  第３の連続シート
４７  第７のストリップ
４８  第８のストリップ
４９  第４の連続シート
５０  矢印
５１  矢印
５２  ピース
５３  矢印
５４  矢印
５５  レッグ開口部
５６  矢印
５７  弾性要素
５８  織物材料
５９  接着剤
【図１ａ−１ｂ】
2019536548.tif 000003
【図２】
2019536548.tif 000004
【図３】
2019536548.tif 000005
【図４ａ】
2019536548.tif 000006
【図４ｂ】
2019536548.tif 000007
【図４ｃ】
2019536548.tif 000008
【図４ｄ】
2019536548.tif 000009
【図４ｅ】
2019536548.tif 000010
【図４ｆ】
2019536548.tif 000011
【図５】
2019536548.tif 000012
【図６ａ】
2019536548.tif 000013
【図６ｂ】
2019536548.tif 000014
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
一方の性に特化したパンツ型使い捨て吸収性物品（１、１’）のアレイであって、前記アレイは、
男性によって着用されるように適合された第１の使い捨て吸収性物品（１）であって、前記物品（１）は、その縦方向において、前方部分（３）、後方部分（４）および前記前方部分（３）と前記後方部分（４）との間の股部分（５）を有し、第１の弾性部品（３１）が、前記物品（１）のフィット感および快適さを男性ユーザに提供するように構成される、物品（１）と、
女性によって着用されるように適合された第２の使い捨て吸収性物品（１’）であって、前記物品（１’）は、その縦方向において、前方部分（３’）、後方部分（４’）および前記前方部分（３’）と前記後方部分（４’）との間の股部分（５’）を有し、第２の弾性部品（３１’）が、前記物品（１’）のフィット感および快適さを女性ユーザに提供するように構成される、物品（１’）と、を備え、
前記第１の弾性部品（３１）および前記第２の弾性部品（３１’）は、少なくとも部分的にそれぞれの物品（１、１’）に沿って延びる複数の弾性要素（３１ａ〜３１ｅ、３１’ａ〜３１’ｇ）を備え、
前記第１の弾性部品（３１）および前記第２の弾性部品（３１’）は、それぞれ少なくとも前記第１の使い捨て吸収性物品（１）の前記後方部分（４）および前記第２の使い捨て吸収性物品（１’）の前記後方部分（４’）の一部分を形成し、
前記第１の弾性部品（３１）および前記第２の弾性部品（３１’）は、少なくとも前記弾性要素（３１ａ〜３１ｅ、３１’ａ〜３１’ｇ）の位置付けおよび弾性強度の選択が互いとは異なり、
前記弾性要素（３１ａ〜３１ｅ、３１’ａ〜３１’ｇ）は、上方区域と下方区域とに分割され、少なくとも前記弾性要素（３１ａ〜３１ｅ、３１’ａ〜３１’ｇ）の位置付けまたは弾性強度における上述した相違点は、前記下方区域にのみ設けられることを特徴とする、アレイ。
【請求項２】
前記第１の弾性部品（３１）および前記第２の弾性部品（３１’）は、略平行に前記物品（１、１’）に沿って延び、隣接する弾性糸の間の距離が互いとは異なる複数の弾性要素（３１ａ〜３１ｅ、３１’ａ〜３１’ｇ）として配置される、請求項１に記載のアレイ。
【請求項３】
前記第１の弾性部品（３１）および前記第２の弾性部品（３１’）は、前記異なる弾性強度を提供するように、異なる寸法、材料または弾性力で構成される、請求項１または２に記載のアレイ。
【請求項４】
前記第１の使い捨て吸収性物品（１）および前記第２の使い捨て吸収性物品（１’）のそれぞれは、流体透過性のトップシート（３２）、流体不透過性のバックシート（３３）、および前記トップシート（３２）と前記バックシート（３３）との間に取り囲まれた吸収性コア（１７）を備える、請求項１〜３のいずれか１項に記載のアレイ。
【請求項５】
前記第１の使い捨て吸収性物品（１）および前記第２の使い捨て吸収性物品（１’）のそれぞれは、ウエスト縁部（７、８）およびレッグ縁部（９、１０）を定める前方部分（３）および後方部分（４）と、２つの股縁部（２８、２９）を定める股部分（５）と、を有し、ウエスト弾性部品（２３）が、前記ウエスト縁部（７、８）に沿って延び、レッグ弾性部品（２４）が、前記レッグ縁部（９、１０）に沿って延び、第１の吸収性本体弾性部品（２５）および第２の本体弾性部品（２６）が、前記股縁部（２８、２９）のそれぞれ１つに沿って延び、前記バックシート（３３）または前記トップシート（３２）は、それぞれ対応する弾性部品（２３、２４、２５、２６）の少なくとも一部分を取り囲むように、前記ウエスト縁部（７、８）、前記レッグ縁部（９、１０）および前記股縁部（２８、２９）に沿って折り畳まれる、請求項１〜４のいずれか１項に記載のアレイ。
【請求項６】
前記第１の使い捨て吸収性物品（１）および前記第２の使い捨て吸収性物品（１’）は、失禁用物品によって構成される、請求項１〜５のいずれか１項に記載のアレイ。
【請求項７】
一方の性に特化したパンツ型使い捨て吸収性物品（１、１’）のアレイを製造するための方法であって、前記方法は、
男性によって着用されるように適合された第１の使い捨て吸収性物品（１）を供給するステップであって、前記物品（１）は、その縦方向において、前方部分（３）、後方部分（４）および前記前方部分（３）と前記後方部分（４）との間の股部分（５）を有し、第１の弾性部品（３１）が、前記物品（１）のフィット感および快適さを男性ユーザに提供するように構成される、ステップと、
女性によって着用されるように適合された第２の使い捨て吸収性物品（１’）を供給するステップであって、前記物品（１’）は、その縦方向において、前方部分（３’）、後方部分（４’）および前記前方部分（３’）と前記後方部分（４’）との間の股部分（５’）を有し、第２の弾性部品（３１’）が、前記物品（１’）のフィット感および快適さを女性ユーザに提供するように構成される、ステップと、
前記第１の弾性部品（３１）および前記第２の弾性部品（３１’）を形成し、少なくとも部分的にそれぞれの物品（１、１’）に沿って延びる、複数の弾性要素（３１ａ〜３１ｅ、３１’ａ〜３１’ｇ）を供給するステップであって、前記第１の弾性部品（３１）および前記第２の弾性部品（３１’）は、それぞれ少なくとも前記第１の使い捨て吸収性物品（１）の前記後方部分（４）および前記第２の使い捨て吸収性物品（１’）の前記後方部分（４’）の一部分を形成する、ステップと、を含み、
前記方法は、
少なくとも前記弾性要素（３１ａ〜３１ｅ、３１’ａ〜３１’ｇ）の位置付けまたは弾性強度において互いとは異なる第１の弾性部品（３１）および第２の弾性部品（３１’）を供給するステップと、
前記弾性要素（３１ａ〜３１ｅ、３１’ａ〜３１’ｇ）を上方区域と下方区域とに配置するステップであって、少なくとも前記弾性要素（３１ａ〜３１ｅ、３１’ａ〜３１’ｇ）の位置付けまたは弾性強度における上述した相違点は、前記下方区域のみに設けられる、ステップと、を含むことを特徴とする、方法。
【国際調査報告】
2019536548.tif 000015
2019536548.tif 000016
2019536548.tif 000017
2019536548.tif 000018
2019536548.tif 000019
2019536548.tif 000020